(57)【要約】      （修正有）【課題】風冷ファンにより変圧器に風を当てながら、注水ノズルにより変圧器に冷却水を霧状に吹き付けて、少量の冷却水で変圧器を効率良く冷却すると共に、変圧器への着脱が容易で、変圧器の温度が上昇している箇所を集中的に冷却することができる変圧器の補助冷却装置を提供する。【解決手段】変圧器Ｐの補助冷却装置は、先端部に注水ノズルを取り付けている耐圧ホース３と、上部の両サイドにフックを設けて変圧器に着脱自在に取り付けられる風冷ファン５とから成り、風冷ファンの上部に注水ノズルを付設し、風冷ファンにより変圧器に風を当てながら、注水ノズルにより変圧器に冷却水を霧状に吹き付けるものである。また、耐圧ホースは、その基端部が、耐圧ホースに冷却水を送り込む可搬型の冷却制御部に連結している。【選択図】図４
0003135194.tif 000002
【実用新案登録請求の範囲】
【請求項１】
先端部に注水ノズルを取り付けている耐圧ホースと、上部の両サイドにフックを設けて変圧器に着脱自在に取り付けられる風冷ファンとから成り、風冷ファンの上部に注水ノズルを付設し、風冷ファンにより変圧器に風を当てながら、注水ノズルにより変圧器に冷却水を霧状に吹き付けることを特徴とする変圧器の補助冷却装置。
【請求項２】
耐圧ホースは、その基端部が、耐圧ホースに冷却水を送り込む可搬型の冷却制御部に連結している請求項１に記載の変圧器の補助冷却装置。
【請求項３】
風冷ファンは、冷却制御部により耐圧ホースに冷却水が送り込まれた際、その水圧力を感知する起動スイッチにより稼動する請求項１または２に記載の変圧器の補助冷却装置。
【請求項４】
冷却制御部は、外気温度に反応して、耐圧ホースに冷却水を自動的に送り込む機構を備えている請求項１乃至３のいずれかに記載の変圧器の補助冷却装置。
【請求項５】
耐圧ホースを多分岐構造に形成し、変圧器に複数の風冷ファンを取り付けた請求項１乃至４のいずれかに記載の変圧器の補助冷却装置。
【考案の詳細な説明】
【技術分野】
【０００１】
本考案は、風冷ファンにより変圧器に風を当てながら、注水ノズルにより変圧器に冷却水を霧状に吹き付けて、少量の冷却水で変圧器を効率良く冷却すると共に、変圧器への着脱が容易で、変圧器の温度が上昇している箇所を集中的に冷却することができる、変圧器の補助冷却装置に関するものである。
【背景技術】
【０００２】
変電所等に設置されている変圧器は、例えば、夏季における重負荷時の配電線事故、変圧器事故、健全変圧器の過酷な切替等の種々の要因により、変圧器自体の温度が上昇してしまう場合がある。
【０００３】
このように、変圧器の温度が上昇した場合、例えば、作業員が所定のホースを使用して、変圧器に水を掛ける等の措置が採られていたが、変圧器の温度上昇を抑制する措置としては不十分であることから、変圧器の補助冷却装置が使用されている。
【０００４】
この変圧器の補助冷却装置は、例えば、図８・図９に示すように、コンクリートブロックに固定された冷却制御部１００に接続されている分岐ホース１０１及びエスロンパイプ１０２を介して、変圧器Ｐの上方に設置した注水ノズル１０３から、変圧器Ｐに向けて冷却水を噴霧するものである。また、図９に示すように、冷却制御部１００は、水道源Ｑに連結されている。
【０００５】
そして、従来における変圧器の補助冷却装置は、図７に示すように、冷却水の通り道であるエスロンパイプ１０２と注水ノズル１０３が、変圧器Ｐの壁面に起立した状態で固定されていた。
【０００６】
また、エスロンパイプ１０２自体は、その長さが約３ｍ〜４ｍ程度の長尺のものが使用され、注水ノズル１０３が取り付けられているエスロンパイプ１０２の吹き出し口の近傍は、変圧器Ｐに向けて略コ字状に折曲されていた。
【０００７】
この他、特許文献１に開示されているように、水と空気による２流体方式により変圧器を冷却する装置が存在する。
【０００８】
この変圧器の冷却装置は、変圧器本体と放熱器間を、配管とポンプにより冷却兼絶縁流体を循環させて送風用のファンにより冷却すると共に、放熱器内の冷却フィン部と送風用ファンとの間に（中付けとして）、または、前記送風用ファンに対して放熱器内の冷却フィン部と反対側に（外付けとして）、冷却水を自らの水圧で噴射するノズルユニットと圧搾空気で噴射水を１００ミクロン以下の霧状にするエア供給ユニットとからなる冷却水噴射部を備えている。
【特許文献１】特開平７−２８３０３４号公報
【考案の開示】
【考案が解決しようとする課題】
【０００９】
しかしながら、図７乃至図9に示す、従来における変圧器の補助冷却装置は、冷却方式として、注水ノズル１０３から冷却水を噴霧するだけであることから、種々の要因により温度が上昇している変圧器Ｐを、充分に冷却することができなかった。
【００１０】
また、水道水を用いた冷却水の垂れ流し状態となることから、水道費が嵩むものとなっていた。
【００１１】
さらに、従来の補助冷却装置は、エスロンパイプ１０２と注水ノズル１０３を、変圧器Ｐの壁面に固定しなければならないため、変圧器Ｐの運転を一旦停止してから、装置の取り付け工事を実施しなければならなかった。
【００１２】
また、補助冷却装置の固定位置を変更するときも、変圧器Ｐの運転を一旦停止しなければならず、装置の取り付け工事が非常に面倒であると共に、運転の停止により変圧器の稼働率が低下してしまう要因となっていた。
【００１３】
しかも、変圧器Ｐの運転を一旦停止するには、当然のことながら、運転停止の手続きが必要となり、また、検電・接地等の作業労力を要するものとなっていた。
【００１４】
加えて、冷却水の通り道であるエスロンパイプ１０２は、その長さが約３ｍ〜４ｍ程度であり、長尺であることから、電気を扱う変圧器Ｐの周辺における工事が、非常に危険な作業となっていた。
【００１５】
一方、特許文献１に示す、水と空気による２流体方式により変圧器を冷却する装置では、変圧器本体と放熱器間を、配管とポンプにより冷却兼絶縁流体を循環させて送風用のファンにより冷却するもので、変圧器に冷却装置が一体的に固定されているため、冷却装置を撤去してその設置位置を変えることが容易でない構造となっている。
【００１６】
そのため、何らかの要因により変圧器の一部の場所だけの温度が上昇してしまった場合に、当該箇所を集中的に冷却することができない事態が生じていた。
【００１７】
そこで、本考案は、如上のような従来存した諸事情に鑑み創案されたもので、風冷ファンと注水ノズルを結合することで、風冷ファンにより変圧器に風を当てながら、注水ノズルにより変圧器に冷却水を霧状に吹き付けて、少量の冷却水で変圧器を効率良く冷却すると共に、変圧器への着脱が容易で、変圧器の温度が上昇している箇所を集中的に冷却することができる、変圧器の補助冷却装置を提供することを目的とする。
【課題を解決するための手段】
【００１８】
本考案に係る変圧器の補助冷却装置は、先端部に注水ノズルを取り付けている耐圧ホースと、上部の両サイドにフックを設けて変圧器に着脱自在に取り付けられる風冷ファンとから成り、風冷ファンの上部に注水ノズルを付設し、風冷ファンにより変圧器に風を当てながら、注水ノズルにより変圧器に冷却水を霧状に吹き付けることで、上述した課題を解決した。
【００１９】
また、耐圧ホースは、その基端部が、耐圧ホースに冷却水を送り込む可搬型の冷却制御部に連結していることで、同じく上述した課題を解決した。
【００２０】
さらに、風冷ファンは、冷却制御部により耐圧ホースに冷却水が送り込まれた際、その水圧力を感知する起動スイッチにより稼動することで、同じく上述した課題を解決した。
【００２１】
また、冷却制御部は、外気温度に反応して、耐圧ホースに冷却水を自動的に送り込む機構を備えていることで、同じく上述した課題を解決した。
【００２２】
加えて、耐圧ホースを多分岐構造に形成し、変圧器に複数の風冷ファンを取り付けたことで、同じく上述した課題を解決した。
【考案の効果】
【００２３】
本考案に係る変圧器の補助冷却装置は、先端部に注水ノズルを取り付けている耐圧ホースと、上部の両サイドにフックを設けて変圧器に着脱自在に取り付けられる風冷ファンとから成り、風冷ファンの上部に注水ノズルを付設し、風冷ファンにより変圧器に風を当てながら、注水ノズルにより変圧器に冷却水を霧状に吹き付けることから、少量の冷却水で変圧器を効率良く冷却することができる。
【００２４】
また、注水ノズルを付設している風冷ファンは、上部の両サイドに設けたフックを介して、変圧器に簡単に取り付けることができる。
【００２５】
そのため、冷却装置が設置されていない変圧器について、何らかの要因により変圧器の温度が上昇してしまった場合に、注水ノズルを付設している風冷ファンを変圧器に即座に取り付けて、この変圧器を充分に冷却することができる。
【００２６】
また、エスロンパイプと注水ノズルを変圧器の壁面に固定している従来の補助冷却装置だけでは、変圧器の温度上昇を十分に抑制できない場合も、注水ノズルを付設している風冷ファンを変圧器に即座に取り付けて、この変圧器を充分に冷却することができる。
【００２７】
さらに、風冷ファンは、上部の両サイドに設けたフックを、変圧器における既存の部材に引っ掛けるだけで、変圧器に簡単に取り付けることができるため、面倒な風冷ファンの取り付け工事等を行う必要が無い。
【００２８】
そのため、変圧器の運転を停止する必要も無く、変圧器の高い稼働率を維持しながら、この変圧器を充分に冷却することができる。
【００２９】
勿論、変圧器を充分に冷却した後は、風冷ファンを変圧器から簡単に取り外し、撤去することができる。
【００３０】
この他、特許文献１に示す冷却装置において、何らかの要因により変圧器の一部の場所だけの温度が上昇してしまった場合に、上部の両サイドに設けたフックを、変圧器における既存の部材に引っ掛けるだけで、風冷ファンを変圧器に簡単に取り付けることができるため、温度が上昇している箇所を集中的に冷却することができる。
【００３１】
また、耐圧ホースは、その基端部が、可搬型の冷却制御部に連結していることから、耐圧ホースに冷却水を送り込む冷却制御部も自在に移動させて、注水ノズルを付設している風冷ファンを、例えば、距離を隔てて存在する変圧器にも、簡単に取り付けることができる。
【００３２】
さらに、風冷ファンは、冷却制御部により耐圧ホースに冷却水が送り込まれた際、その水圧力を感知する起動スイッチにより稼動することから、耐圧ホースに冷却水が送り込まれている限り、風冷ファンにより変圧器に風を当てながら、注水ノズルにより変圧器に冷却水を霧状に吹き付ける状態を常に維持して、変圧器を効率良く冷却することができる。
【００３３】
加えて、冷却制御部は、外気温度に反応して、耐圧ホースに冷却水を自動的に送り込む機構を備えていることから、温度が上昇し易い変圧器を予想・特定し、通常の温度状態のときに風冷ファンを予め取り付けておき、実際に変圧器の温度が上昇した際に、耐圧ホースに冷却水を即座に送り込んで冷却水を霧状に吹き付け、変圧器を自動制御によって冷却することができる。
【００３４】
このため、変圧器に風冷ファンを取り付けたままの状態においても、変圧器を効率良く冷却することができる。
【００３５】
この他、耐圧ホースを多分岐構造に形成し、変圧器に複数の風冷ファンを取り付けたことから、温度が上昇している変圧器を、速やかに冷却することができる。
【００３６】
この際、変圧器を最も効率良く冷却するために必要な風冷ファンの数と、風冷ファンの配置を、現場において適宜選択することができる。
【考案を実施するための最良の形態】
【００３７】
以下に、本考案を実施するための最良の形態を、図面を参照して説明する。
【００３８】
本考案に係る変圧器Ｐの補助冷却装置１は、図１に示すように、先端部に注水ノズル２を取り付けている耐圧ホース３と、上部の両サイドに逆Ｕ字状のフック4を設けて変圧器Ｐに着脱自在に取り付けられる風冷ファン５とから構成されている。
【００３９】
また、風冷ファン５の上部に注水ノズル2を付設し、風冷ファン５により変圧器Ｐに風を当てながら、注水ノズル２により変圧器Ｐに冷却水を霧状に吹き付けるものである。
【００４０】
注水ノズル２は、図２に示すように、その先端部が円形の平面状に形成され、その中央部にスリット部６が設けられている。このスリット部６により、耐圧ホース３に送り込まれた冷却水が、略扇状に噴出するのである。
【００４１】
先端部に注水ノズル２を取り付けている耐圧ホース３は、図３に示すように、その基端部が、耐圧ホース３に冷却水を送り込む冷却制御部７に連結している。また、冷却制御部７は、所定の水道源Ｑに連結している。
【００４２】
この冷却制御部７は、下部にキャスターを備え、移動が容易な可搬型に形成されている。
【００４３】
さらに、補助冷却装置１自体も、耐圧ホース３、風冷ファン５、冷却制御部７の各部位にそれぞれ分割でき、容易に運搬できるようになっている。
【００４４】
そして、何らかの要因により変圧器Ｐの温度が上昇してしまった場合に、例えば、図４に示すように、変圧器Ｐの左右に風冷ファン５を取り付ける。
【００４５】
具体的には、風冷ファン５の上部に設けているフック4を、変圧器Ｐが側面に備えている横棒状部材８に引っ掛けて、変圧器Ｐに風冷ファン５を取り付けるのである。
【００４６】
耐圧ホース３は、例えば、図３に示すように、分岐部９を介して二股に分かれ、その一方が変圧器Ｐに取り付けている風冷ファン５の注水ノズル２に連結している。また、耐圧ホース３の他方は、風冷ファン５が存在しない注水ノズル２に連結している。この注水ノズル２は、例えば、変圧器Ｐのラジエーター中間部Ｒに取り付けられる。
【００４７】
補助冷却装置１を構成する風冷ファン５の他の配置例としては、例えば、図５に示すように、温度が上昇している変圧器Ｐの特定箇所において、変圧器Ｐの上下に風冷ファン５を取り付けても良い。
【００４８】
このとき、冷却制御部７に連結している耐圧ホース３は、第１の分岐部９ａを介して二股に分かれる。また、分かれた耐圧ホース３のそれぞれは、さらに第２の分岐部９ｂを介して二股に分かれる。
【００４９】
そして、耐圧ホース３の一方が変圧器Ｐに取り付けている風冷ファン５の注水ノズル２に連結し、他方が、風冷ファン５が存在しない注水ノズル２に連結している。
【００５０】
このように、耐圧ホース３を多分岐構造に形成することで、注水ノズル2を付設している複数の風冷ファン５と、複数の注水ノズル2を、温度が上昇している変圧器Ｐに取り付けることができる。
【００５１】
この他、補助冷却装置1は、図５に示すように、起動スイッチ１０を備えている。
【００５２】
この起動スイッチ１０は、冷却制御部7により耐圧ホース３に冷却水が送り込まれた際、その水圧力を感知して、風冷ファン５を稼動させるものである。
【００５３】
具体的には、図５に示すように、耐圧ホース３の基端部を冷却制御部７に連結している状態において、風冷ファン５のモータと電源１１を、起動スイッチ１０を介して電気的に接続するのである。
【００５４】
起動スイッチ１０は、冷却制御部７により耐圧ホース３に冷却水が送り込まれた際、その水圧力が、例えば、２．５ｋｇ／平方センチメートルとなった時に、風冷ファン５のモータを自動的に稼動させるように設定しておく。
【００５５】
補助冷却装置１の他の構成例としては、例えば、図６に示すように、耐圧ホース３の基端部を、冷却制御部７を介さずに、水道源Ｑに直接連結しても良い。
【００５６】
一方、冷却制御部７を備えている補助冷却装置１においては、この冷却制御部７に、外気温度に反応して、耐圧ホース３に冷却水を自動的に送り込む機構を備えている。
【００５７】
具体的には、冷却制御部７に温度感知センサーを搭載し、このセンサーが所定の温度を感知したときに、冷却制御部７により耐圧ホース３に冷却水が自動的に送り込まれるのである。
【００５８】
そして、冷却制御部７により耐圧ホース３に冷却水が送り込まれると、起動スイッチ１０がその水圧力を感知して、風冷ファン５を自動的に稼動させるのである。
【００５９】
尚、起動スイッチ１０を用いることなく、温度感知センサーのみの作動によって、冷却制御部７から耐圧ホース３に冷却水を自動的に送り込み、同時に、風冷ファン５を自動的に稼動させるようにしても良い。
【００６０】
ここで、冷却制御部７は、変圧器Ｐ１台に対して１台の冷却制御部７が存在する例で説明をしているが、補助冷却装置１を複数の変圧器Ｐに設置すれば、１台の冷却制御部７で、複数の変圧器Ｐを同時に冷却することは可能である。また、冷却制御部７に接続される補助冷却装置１の数は、本実施例で示した数に限られるものではなく、例えば、３台の変圧器Ｐを冷却するのに十分な補助冷却装置１を同時に制御する機能を冷却制御部７は有している。
【産業上の利用可能性】
【００６１】
本考案に係る変圧器の補助冷却装置は、変圧器の温度が上昇してしまったときに、変圧器を冷却するために使用する以外に、様々な施設の補助冷却装置として、幅広く利用することができる。
【図面の簡単な説明】
【００６２】
【図１】風冷ファンの上部に注水ノズルを付設した、補助冷却装置の構成を示す斜視図である。
【図２】風冷ファンの上部に付設した、注水ノズルの構成を示す斜視図である。
【図３】変圧器に、注水ノズルを布設している風冷ファンと、風冷ファンが存在しない注水ノズルを取り付けている例を示す側面図である。
【図４】変圧器の左右に、注水ノズルを布設している風冷ファンを取り付けている例を示す正面図である。
【図５】変圧器に、注水ノズルを布設している２つの風冷ファンと、風冷ファンが存在しない２つの注水ノズルを取り付ける例を示す説明図である。
【図６】冷却制御部が存在しない補助冷却装置において、変圧器に、注水ノズルを布設している２つの風冷ファンと、風冷ファンが存在しない２つの注水ノズルを取り付ける例を示す説明図である。
【図７】従来の補助冷却装置において、変圧器に設置しているエスロンパイプと注水ノズルの構成を示す斜視図である。
【図８】従来の補助冷却装置において、変圧器に設置しているエスロンパイプと注水ノズルの構成を示す側面図である。
【図９】従来の補助冷却装置において、複数のエスロンパイプと注水ノズルを変圧器に設置している例を示す説明図である。
【符号の説明】
【００６３】
Ｐ…変圧器
Ｑ…水道源
Ｒ…ラジエーター中間部
１…補助冷却装置
２…注水ノズル
３…耐圧ホース
４…フック
５…風冷ファン
６…スリット部
７…冷却制御部
８…横棒状部材
９…分岐部
９ａ…分岐部
９ｂ…分岐部
１０…起動スイッチ
１１…電源
１００…冷却制御部
１０１…分岐ホース
１０２…エスロンパイプ
１０３…注水ノズル
【図１】
0003135194.tif 000003
【図２】
0003135194.tif 000004
【図３】
0003135194.tif 000005
【図４】
0003135194.tif 000006
【図５】
0003135194.tif 000007
【図６】
0003135194.tif 000008
【図７】
0003135194.tif 000009
【図８】
0003135194.tif 000010
【図９】
0003135194.tif 000011